(57)【要約】【課題】光記録媒体が記録再生時に対物レンズに衝突することを防止し挿入時にレンズプロテクタ部材に衝突することがないレンズ駆動装置の提供。【解決手段】アクチュエータベースにサスペンションワイヤを介して設けられたレンズ保持部20と、レンズ保持部20に設けられ光記録媒体Dの記録面に対向配置される対物レンズとを有し、レンズ保持部20の対物レンズの周囲において光記録媒体Dが挿入される方向Inの上流側において光記録媒体Dを挿入する時にガイドする傾斜202Bが設けられ、レンズ保持部20に光記録媒体Dが対物レンズに衝突することを防止するレンズプロテクタ部材40が設けられる。レンズプロテクタ部材40は基台401から突出するとともに先端部が傾斜面とされた衝突緩衝材402を有し、傾斜202Bの最先端位置CTは衝突緩衝材402の最先端位置PTより低く、基台401と衝突緩衝材402との境界線Kより先端側に位置する。【選択図】図４
2013020679.tif 000002
【特許請求の範囲】
【請求項１】
ベース部材と、このベース部材に線状弾性部材を介して設けられたレンズ保持部と、このレンズ保持部に設けられ光記録媒体の記録面に対向配置される対物レンズとを有するレンズ駆動装置であって、
前記レンズ保持部の前記対物レンズの周囲において少なくとも前記光記録媒体が挿入される方向の上流側において前記光記録媒体を挿入する時にガイドする傾斜が設けられ、前記レンズ保持部に前記光記録媒体が前記対物レンズに衝突することを防止するレンズプロテクタ部材が設けられ、
前記レンズプロテクタ部材は、前記レンズ保持部に設けられた基台と、この基台から突出して設けられるとともに先端部が傾斜面とされた衝突緩衝材とを有し、
前記傾斜は、その最先端位置が前記衝突緩衝材の最先端位置より低く、かつ、前記基台と前記衝突緩衝材との境界線より前記衝突緩衝材の先端側に位置する
ことを特徴とするレンズ駆動装置。
【請求項２】
請求項１に記載のレンズ駆動装置において、
前記衝突緩衝材は、液状樹脂を前記基台の上に硬化させて形成され、かつ、その先端部が曲面とされる
ことを特徴とするレンズ駆動装置。
【請求項３】
請求項２に記載のレンズ駆動装置において、
前記レンズ保持部には前記液状樹脂が前記基台の外周縁から流出した際に溜める溝が少なくとも前記基台と前記傾斜面が設けられた突起部との間に形成されている
ことを特徴とするレンズ駆動装置。
【請求項４】
請求項１から請求項３のいずれかに記載のレンズ駆動装置と、このレンズ駆動装置を保護するとともに前記光記録媒体が摺動する摺動面が形成されるカバー部材とを備え、
前記傾斜は、その最基端位置が前記カバー部材の摺動面の位置より前記衝突緩衝材の先端に向かう方向とは反対側に位置する
ことを特徴とする光ピックアップ装置。
【請求項５】
請求項４に記載の光ピックアップ装置を備えたディスク装置であって、前記光記録媒体の挿通口が形成された筐体を有する
ことを特徴とするディスク装置。
【発明の詳細な説明】
【技術分野】
【０００１】
本発明は、レンズ駆動装置、光ピックアップ装置及びこの光ピックアップ装置を備えたディスク装置に関する。
【背景技術】
【０００２】
従来、ＣＤ（Compact Disc）やＤＶＤ（Digital Versatile Disc）あるいはＢＤ（Blu-ray Disc）等のディスク状の光記録媒体に記録されている情報を記録したり、記録されている情報を再生したりする光ピックアップ装置を備えたディスク装置が知られている。
このディスク装置の従来例として、光記録媒体に光を集光する対物レンズと、この対物レンズを保持するレンズホルダと、このレンズホルダを保持するサスペンションワイヤと、前記レンズホルダの前記対物レンズの周りで少なくとも１つは前記光記録媒体挿入方向の上流側に設けられている突起物とを備えた光ピックアップアクチュエータと、前記光ピックアップアクチュエータを保護するピックアップカバーとを備え、前記光ピックアップアクチュエータの一部が前記ピックアップカバーから突出してレンズプロテクタを構成し、このレンズプロテクタの側面には、光記録媒体挿入時に、光記録媒体を上方に案内する傾斜を設け、この傾斜が、レンズプロテクタの最高位からピックアップカバーの最上位よりも下方まで伸びた光ディスク装置がある（特許文献１）。
【０００３】
この特許文献１で示される従来例では、ディスク状の光記録媒体を上方に案内する傾斜がレンズプロテクタの最高位からピックアップカバーの最上位よりも下方まで伸びた構成にしているため、ピックアップカバー上面を滑るように光記録媒体が挿入されても、光記録媒体外周端部は傾斜に接触し、傾斜を滑って光ピックアップアクチュエータを上下方向に押し下げることになる。従って、サスペンションワイヤの挫屈方向に力は生じず、サスペンションワイヤの変形を防ぐことができる。
【先行技術文献】
【特許文献】
【０００４】
【特許文献１】特許４５９１５８９号（請求項１、段落［０００８］）
【発明の概要】
【発明が解決しようとする課題】
【０００５】
しかしながら、特許文献１で示される従来例は、その課題を解決するために、光記録媒体を上方に案内する傾斜の上端がレンズプロテクタの最高位と一致する構成を採用しているため、ディスク状の光記録媒体の記録時又は再生時に、光記録媒体が外部からの要因、その他の要因によって、対物レンズに衝突する方向に動くと、傾斜の上端に光記録媒体が衝突することになり、光記録媒体自体に傷がつくことが１つの課題として挙げられる。
【０００６】
この問題を解決するために、傾斜の上端位置をレンズプロテクタの最高位より低くすることが仮に想定できるとしても、レンズプロテクタの先端部の断面形状はフォーカス方向と平行な面とこれと直交する平面とが直角となる角部が形成されていることになるので、光記録媒体を挿入するためにピックアップカバーの平面に沿って摺動される光記録媒体の外周縁部が突起部の先端角部に衝突し、光記録媒体を破損させたり、サスペンションワイヤを塑性変形させたりしてしまうという不都合が１つの課題として考えられる。
【０００７】
本発明は、光記録媒体が記録再生時に対物レンズに衝突することを防止することができるとともに光記録媒体が挿入時にレンズプロテクタ部材に衝突しても、サスペンションワイヤの変形を防ぎつつ、滑らかに送り込まれるレンズ駆動装置、光ピックアップ装置及びディスク装置を提供することを１つの目的とする。
【課題を解決するための手段】
【０００８】
本発明のレンズ駆動装置は、ベース部材と、このベース部材に線状弾性部材を介して設けられたレンズ保持部と、このレンズ保持部に設けられ光記録媒体の記録面に対向配置される対物レンズとを有するレンズ駆動装置であって、前記レンズ保持部の前記対物レンズの周囲において少なくとも前記光記録媒体が挿入される方向の上流側において前記光記録媒体を挿入する時にガイドする傾斜が設けられ、前記レンズ保持部に前記光記録媒体が前記対物レンズに衝突することを防止するレンズプロテクタ部材が設けられ、前記レンズプロテクタ部材は、前記レンズ保持部に設けられた基台と、この基台から突出して設けられるとともに先端部が傾斜面とされた衝突緩衝材とを有し、前記傾斜は、その最先端位置が前記衝突緩衝材の最先端位置より低く、かつ、前記基台と前記衝突緩衝材との境界線より前記衝突緩衝材の先端側に位置することを特徴とする。
【０００９】
本発明の光ピックアップ装置は、前述の構成のレンズ駆動装置と、このレンズ駆動装置を保護するとともに前記光記録媒体が摺動する摺動面が形成されるカバー部材とを備え、前記傾斜は、その最基端位置が前記カバー部材の摺動面の位置より前記衝突緩衝材の先端に向かう方向とは反対側に位置することを特徴とする。
【００１０】
本発明のディスク装置は、前述の構成の光ピックアップ装置を備えたディスク装置であって、前記光記録媒体の挿通口が形成された筐体を有することを特徴とする。
【図面の簡単な説明】
【００１１】
【図１】本発明の一実施形態に係るディスク装置の全体構成を示す図。
【図２】レンズ駆動装置の全体構成を示す斜視図。
【図３】レンズ駆動装置の側面図。
【図４】レンズ駆動装置の要部を示す一部を破断した側面図。
【図５】レンズ駆動装置の動作を説明する側面図。
【図６】レンズ駆動装置の動作を説明する側面図。
【図７】（Ａ）〜（Ｃ）は本発明の変形例を示す側面図。
【発明を実施するための形態】
【００１２】
［ディスク装置の構成］
本発明の一実施形態を図面に基づいて説明する。
本実施形態で用いられる光記録媒体は、情報の読み出しあるいは記録のみでもよい。さらに、ディスク状記録媒体としては、光ディスクに限らず、磁気ディスク、光磁気ディスクなどのいずれのディスク状記録媒体を対象とすることができる。また、例えば、携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよい。
【００１３】
図１は、本実施形態に係るディスク装置の概略構成を示す平面図である。
図１において、ディスク装置は、例えば、携帯型のパーソナルコンピュータ等の電気機器に装着されるいわゆる薄型のスロットインタイプのディスク装置である。このディスク装置は、着脱可能に装着される円板状の光記録媒体Ｄの一面に設けられた記録面に記録された情報を読み出す情報処理である読取処理や記録面へ各種情報を記録する情報処理である記録処理をする。
【００１４】
ディスク装置は、例えば金属製で内部空間を有する略箱形状の筐体１００と、この筐体１００の内部に設けられる、いわゆるトラバースメカと称されるディスク処理部２００と、光記録媒体Ｄを搬送する搬送手段３００と、図示しない制御回路部とを備えて構成され、筐体１００の正面には光記録媒体Ｄを挿入排出するための挿通口１００Ａが形成されている。搬送手段３００は、光記録媒体Ｄを移動させるアーム３０１と、このアーム３０１を駆動するアーム駆動機構３０２とを有する。
ディスク処理部２００は、例えば、金属板にて略板状に形成され一端が揺動自在に筐体１００に支持された台座部２１０を有する。この台座部２１０には、周縁近傍である長手方向の一端側に位置して、ディスク回転駆動手段２２０が配設されている。
このディスク回転駆動手段２２０は、図示しないスピンドルモータと、このスピンドルモータの出力軸に一体的に設けられたターンテーブル２３０とを備えている。スピンドルモータは、制御回路部に制御可能に接続され、制御回路部から供給される電力により駆動する。
【００１５】
ターンテーブル２３０は、筐体１００の内部の略中心部に設けられるとともに光記録媒体Ｄを回転駆動する駆動部である。
台座部２１０には本実施形態にかかる光ピックアップ装置２４０が台座部２１０に設けられた一対のガイドシャフト２５０の間に架橋する状態に配設されており、この光ピックアップ装置２４０は、レンズ駆動装置１と、このレンズ駆動装置１を保護する光記録媒体Ｄが摺動する摺動面２Ａが形成されるカバー部材２を備えている。台座部２１０は光ピックアップ装置２４０をターンテーブル２３０に対して近接離隔させる駆動機構２６０を備えている。カバー部材２は光ピックアップ装置２４０に取り付けられている。
【００１６】
［光ピックアップ装置の構成］
図２は本実施形態のレンズ駆動装置１の全体構成を示す斜視図であり、図３は、その側面図である。
図２及び図３において、レンズ駆動装置１は、ベース部材としてのアクチュエータベース１０と、２つの対物レンズＬ１，Ｌ２が設けられた合成樹脂製のレンズ保持部２０と、このレンズ保持部２０とアクチュエータベース１０とを接続する線状弾性部材としてのサスペンションワイヤ３０と、レンズ保持部２０に設けられ光記録媒体Ｄが対物レンズＬ１，Ｌ２に衝突することを防止するレンズプロテクタ部材４０と、レンズ保持部２０をトラッキング方向Ｔとフォーカス方向Ｆとに移動させる動作部５０とを有する。
【００１７】
アクチュエータベース１０は、図示しないピックアップ支持体に取付けられている。このピックアップ支持体を通してレンズ駆動装置１は、図示しない駆動機構に接続され、駆動機構の制御によりレンズ駆動装置１を光記録媒体Ｄの面に沿ってトラッキング方向Ｔへ移動させる。また、ピックアップ支持体には、図示しないＢＤ用レーザ光源と、ＣＤ−ＤＶＤ用レーザ光源とが取り付けられている。そして、このＢＤ用レーザ光源から出射された４０５ｎｍのＢＤ用レーザ光は、光学系により構成される光路を通って対物レンズＬ１の下方に至る。また、ＣＤ−ＤＶＤ用レーザ光源から出射された７８０ｎｍのＣＤ用レーザ光または６５０ｎｍのＤＶＤ用レーザ光は、対物レンズＬ２の下方に至る。各対物レンズＬ１，Ｌ２の下方には立ち上げミラー（図示せず）が配置されており、各レーザ光は立ち上げミラーにより上方へ進路変更されて各対物レンズＬ１，Ｌ２を下から上へと通過する。これらの対物レンズＬ１，Ｌ２の上方には光記録媒体Ｄが配置され、各対物レンズＬ１，Ｌ２は各レーザ光を記録媒体の情報記録面に集光する。
【００１８】
アクチュエータベース１０は、ベース本体１１と、このベース本体１１の両側にそれぞれ設けられるダンピング材料１２とを備え、ベース本体１１には、サスペンションワイヤ３０の一端部が設けられている。
サスペンションワイヤ３０は２本の線材が１対となって構成されており、２対のサスペンションワイヤ３０は、その一端部がベース本体１１に係止されている。
全てのサスペンションワイヤ３０は、それぞれフォーカス方向Ｆと直交する平面内でトラッキング方向Ｔと直交する方向に延びて配置されている。
【００１９】
レンズ保持部２０は、対物レンズＬ１，Ｌ２が設けられフォーカス方向Ｆと直交する平面内でトラッキング方向Ｔと直交する方向と長手方向が平行な平面長方形状のホルダ本体２０Ａと、このホルダ本体２０Ａの一端側両側面にそれぞれ基端が固定された固定アーム部２０Ｂとを備え、これらの固定アーム部２０Ｂにはサスペンションワイヤ３０の他端部がそれぞれ係止されている。
対物レンズＬ１，Ｌ２は、ホルダ本体２０Ａの長手方向に沿って並んで配置され、これらのうち対物レンズＬ１は光記録媒体Ｄが挿入される方向Ｉｎの上流側に配置され、対物レンズＬ２は光記録媒体Ｄが挿入される方向Ｉｎの下流側に配置されている。
【００２０】
ホルダ本体２０Ａのトラッキング方向Ｔと直交する方向であって光記録媒体Ｄが挿入される方向Ｉｎの上流側の一端面にはコイル取付部２０１が一体形成され、対物レンズＬ１の周囲においてコイル取付部２０１に近接して突起部２０２が２箇所一体に形成されている。
これらの突起部２０２は、それぞれ基端がコイル取付部２０１に接続された２つの立上片部２０２Ａから構成され、これらの立上片部２０２Ａのうち１つは光記録媒体Ｄが挿入される方向Ｉｎに沿って形成されている。
立上片部２０２Ａには、光記録媒体Ｄを挿入する時にガイドする傾斜２０２Ｂが設けられ、この傾斜２０２Ｂの最先端位置に連続して頂面部２０２Ｃが設けられている。この頂面部２０２Ｃは隣り合う立上片部２０２Ａを接続するように形成されている。
動作部５０は、コイル取付部２０１に設けられたコイル５００及びこのコイル５００と対向配置されベース本体１１に固定された図示しない磁石を有する駆動ユニットと、ホルダ本体２０Ａのコイル取付部２０１が設けられた側面とは反対側の側面に固定された図示しないコイル及びこのコイルに対向配置される磁石（図示せず）を有する駆動ユニットとを備えて構成される。
【００２１】
レンズプロテクタ部材４０は、ホルダ本体２０Ａの平面上の四隅にそれぞれ配置されている。これらのレンズプロテクタ部材４０のうち、トラッキング方向Ｔと直交する方向であって光記録媒体Ｄが挿入される方向Ｉｎの上流側に配置される２つのレンズプロテクタ部材４０は、ホルダ本体２０Ａの長手方向に沿った線分において、突起部２０２と対物レンズＬ１の中心との間に配置されている。
４つのレンズプロテクタ部材４０は、それぞれホルダ本体２０Ａに突出して一体形成された厚肉円板状の基台４０１と、この基台４０１から光記録媒体Ｄが設置される場所に向けて突出して設けられる衝突緩衝材４０２とを有する。
衝突緩衝材４０２は、液状樹脂を基台４０１の上に硬化させて形成されたものであり、かつ、その先端部は光記録媒体Ｄが配置される位置に向けて突出する湾曲形状（曲面）とされている。これらの衝突緩衝材４０２の最先端位置は、それぞれ同じ位置が好ましい。
衝突緩衝材４０２は、塗布時には液体であるが、塗布して硬化した後にあっては弾性を有し所定形状を保持する材料、例えば、シリコーンゴム等から構成される。
【００２２】
図４には、レンズ駆動装置の要部が拡大して示されている。
図４において、突起部２０２に形成された傾斜２０２Ｂの最先端位置ＣＴは衝突緩衝材４０２の最先端位置ＰＴより低く、かつ、基台４０１と衝突緩衝材４０２との境界線Ｋより衝突緩衝材４０２の先端側に位置するものであり、傾斜２０２Ｂの最基端位置ＣＢはカバー部材２の摺動面２Ａの位置より衝突緩衝材４０２の先端に向かう方向とは反対側に位置する。
ホルダ本体２０Ａには、基台４０１に塗布した液状樹脂が基台４０１の外周縁から流出した際に溜める溝２００Ａが基台４０１と突起部２０２との間に形成されている。この溝２００Ａは、図４では、所定幅と深さを有する断面矩形状であり、略直線状の平面形状とされている。なお、本実施形態では、溝２００Ａの断面形状は、矩形状に限定されるものではなく、Ｕ字状であってもよい。さらに、平面形状も基台４０１の周囲に沿った円弧状であってもよい。
溝２００Ａの基台４０１を挟んで反対側には溝２００Ｂがホルダ本体２０Ａに形成され、この溝２００Ｂは溝２００Ａと同じように液状樹脂が基台４０１の外周縁から流出した際に溜めるものである。
【００２３】
次に、本実施形態のディスク装置の作用について、図５及び図６に基づいて説明する。図５及び図６はそれぞれレンズ駆動装置１の動作を説明する側面図である。
まず、ディスク装置に給電されていない状態では、光ピックアップ装置２４０はターンテーブル２３０から最も離れた位置にある。そして、ディスク装置をＯＮして光記録媒体Ｄをディスク装置の挿通口１００Ａから内部に挿入すると、光記録媒体Ｄはターンテーブル２３０に向かって移動する。
この際、光記録媒体Ｄは、カバー部材２の摺動面２Ａに沿って挿入方向に移動し、その外周縁が傾斜２０２Ｂに当接する。すると、図５に示される通り、ホルダ本体２０Ａがサスペンションワイヤ３０の弾性力に抗して押し下げられ、光記録媒体Ｄが傾斜２０２Ｂを滑らかに移動して突起部２０２を乗り越えることになる。
【００２４】
さらに、光記録媒体Ｄが移動し続けると、その外周縁がレンズプロテクタ部材４０の衝突緩衝材４０２の曲面に当接する。すると、図６に示される通り、ホルダ本体２０Ａがサスペンションワイヤ３０の弾性力に抗してさらに押し下げられ、光記録媒体Ｄは衝突緩衝材４０２の曲面に沿って滑らかに移動し、衝突緩衝材４０２の頂部を乗り越えることになる。そして、光記録媒体Ｄは挿入され続けて所定位置にセットされ、記録面が対物レンズＬ１，Ｌ２に対向することになる。
このように、所定位置に光記録媒体Ｄがセットされたら、レンズ駆動装置１によって、記録又は再生の操作が実行されるが、外部からの要因や、その他の要因によって、対物レンズＬ１，Ｌ２に衝突する方向に光記録媒体Ｄが動いても、光記録媒体Ｄが弾性を有する衝突緩衝材４０２の先端部分に当たることになる。
【００２５】
［ディスク装置の作用効果］
以上の本実施形態によれば、以下の作用効果が期待できる。
（１）レンズ保持部２０の対物レンズＬ１，Ｌ２の周囲であって光記録媒体Ｄが挿入される方向の上流側において、光記録媒体Ｄを挿入する時にガイドする傾斜２０２Ｂが設けられ、レンズ保持部２０に光記録媒体Ｄが対物レンズＬ１，Ｌ２に衝突することを防止するレンズプロテクタ部材４０が設けられ、レンズプロテクタ部材４０は、レンズ保持部２０に設けられた基台４０１と、この基台４０１から突出して設けられるとともに先端部が曲面とされた衝突緩衝材４０２とを有し、傾斜２０２Ｂは、その最先端位置ＣＴが衝突緩衝材４０２の最先端位置ＰＴより低く、かつ、基台４０１と衝突緩衝材４０２との境界線Ｋより衝突緩衝材４０２の先端側に位置するようにした。そのため、光記録媒体Ｄは、その挿入時に衝突緩衝材４０２の先端部側面に当接しても、その先端部が曲面とされており、かつ、サスペンションワイヤ３０の弾性力に抗してレンズ保持部２０が変位することによって、光記録媒体Ｄが衝突緩衝材４０２の曲面に沿って滑らかに移動することになり、光記録媒体Ｄが衝突緩衝材４０２に衝突してサスペンションワイヤ３０が変形することがなく、衝突緩衝材４０２が基台４０１から剥がれたりすることがなく、光記録媒体Ｄの円滑な挿入が行える。傾斜２０２Ｂの最先端位置ＣＴが衝突緩衝材４０２の最先端位置ＰＴより低いから、光記録媒体Ｄが外部からの要因や、その他の要因によって、対物レンズＬ１，Ｌ２に衝突する方向に動いても、傾斜２０２Ｂの先端に衝突する前に、衝突緩衝材４０２の先端部分に当たることになるので、光記録媒体Ｄ自体に傷がつくことがない。
【００２６】
（２）衝突緩衝材４０２は、液状樹脂を基台４０１の上に硬化させて形成されるから、先端部に曲面を有する衝突緩衝材４０２を容易に基台４０１の上に形成することができる。つまり、基台４０１の上から液状樹脂を塗布する（垂らす）ことにより、先端部が曲面とされる衝突緩衝材４０２を簡単に成形することができ、そのため、レンズ駆動装置１を安価に製造することができる。
【００２７】
（３）レンズ保持部４０のホルダ本体２０Ａには液状樹脂が基台４０１の外周縁から流出した際に溜める溝２００Ａが基台４０１と傾斜２０２Ｂが形成された突起部２０２との間に形成されているから、衝突緩衝材４０２を形成する際に、液状樹脂が基台４０１の周辺から流れ出されても、この流れ出された液状樹脂を溝２００Ａで収納することができる。そのため、突起部２０２の傾斜側に液状樹脂が流れ出ることが阻止されるので、傾斜２０２Ｂに液状樹脂が誤って塗布されることの不具合、例えば、光記録媒体Ｄの傾斜２０２Ｂに沿ったガイドが邪魔されるという不具合を回避できる。
【００２８】
（４）光ピックアップ装置２４０を、レンズ駆動装置１と、このレンズ駆動装置１を保護するとともに光記録媒体Ｄが摺動する摺動面２Ａが形成されるカバー部材２とを備えて構成したから、前述の効果を奏することができる光ピックアップ装置２４０を提供することができる。
【００２９】
（５）突起部２０２に形成された傾斜２０２Ｂを、その最基端位置ＣＢがカバー部材２の摺動面２Ａの位置より衝突緩衝材４０２の先端に向かう方向とは反対側に位置する構成としたから、光記録媒体Ｄがカバー部材２の摺動面２Ａに沿って摺動して突起部２０２に当接する場合、必ず、傾斜２０２Ｂに当接するので、光記録媒体Ｄが傾斜２０２Ｂに沿って滑らかにガイドされる。そのため、光記録媒体Ｄの挿入操作を円滑に行うことができる。
【００３０】
（６）前述の構成の光ピックアップ装置２４０と、光記録媒体Ｄの挿通口１００Ａが形成された筐体１００とを備えてディスク装置を構成したから、前述の効果を奏することができるディスク装置を提供できる。
【００３１】
（７）１つの突起部２０２にそれぞれ形成された２つの立上片部２０２Ａのうち１つを光記録媒体Ｄが挿入される方向Ｉｎに沿って形成したから、挿入操作される光記録媒体Ｄの外周縁が確実に少なくとも１つの傾斜２０２Ｂに当接することになり、光記録媒体Ｄの挿入操作を円滑に行うことができる。
【００３２】
（８）ホルダ本体２０Ａの四隅のうち２つの隅部に突起部２０２を設け、これらの突起部２０２にそれぞれ向きの異なる傾斜２０２Ｂが設けられた立上片部２０２Ａを形成したから、光記録媒体Ｄが挿入される方向Ｉｎが異なっても、複数の傾斜２０２Ｂのうち少なくとも１つに光記録媒体Ｄの外周縁が当接することになるので、レンズ駆動装置１の筐体１００に対する配置位置の変化に対応することができる。
【００３３】
［変形例］
なお、本発明は前述の一実施形態に限定されるものではなく、本発明の目的を達成できる範囲での変形、改良などは本発明に含まれるものである。
例えば、前記実施形態では、ホルダ本体２０Ａには液状樹脂が基台４０１の外周縁から流出した際に溜める溝２００Ａが基台４０１と傾斜２０２Ｂが形成された突起部２０２との間に形成された構成としたが。本発明では、図７（Ａ）に示される通り、この溝を省略し、基台４０１と突起部２０２とを隙間なく形成するものでもよい。仮に、溝２００Ａを設ける場合であっても、前記実施形態の平面直線状に限定されるものではない。本発明では、溝２００Ａをホルダ本体２０Ａのレンズプロテクタ部材４０の周囲に環状に形成するものでもよい。
【００３４】
さらに、前記実施形態では、衝突緩衝材４０２の先端形状を曲面としたが、本発明では、傾斜面を先端形状が有するものであれば、いかなる形状でもよく、例えば、図７（Ｂ）に示される通り、衝突緩衝材４０２を円錐台形状としてもよい。
また、前記実施形態では、レンズプロテクタ部材４０の基台４０１をホルダ本体２０Ａに一体に突出して形成した構成としたが、本発明では、図７（Ｃ）に示される通り、基台４０１をホルダ本体２０Ａの一部とし、ホルダ本体２０Ａに直接、衝突緩衝材４０２を設けるものでもよい。
そして、液状樹脂を基台４０１の上に硬化して形成したが、本発明では、合成樹脂等から所定形状とされた弾性部材を予め用意し、この弾性部材を基台４０１に接着剤で接着固定する構成であってもよい。
【００３５】
本発明では、１つの突起部２０２に１つの立上片部２０２Ａを形成するものでもよく、突起部２０２自体も１つであってもよい。
また、本発明を各レンズＬ１，Ｌ２のうち一方のみを有するレンズ駆動装置に適用してもよい。
その他、本発明の実施の際の具体的な構造および手順は、本発明の目的を達成できる範囲で他の構造などに適宜変更できる。
【００３６】
［実施形態の作用効果］
前述の通り、本実施形態のレンズ駆動装置１は、アクチュエータベース１０と、このアクチュエータベース１０にサスペンションワイヤ３０を介して設けられたレンズ保持部２０と、このレンズ保持部２０に設けられ光記録媒体Ｄの記録面に対向配置される対物レンズＬ１，Ｌ２とを有するレンズ駆動装置であって、レンズ保持部２０の対物レンズＬ１，Ｌ２の周囲において少なくとも光記録媒体Ｄが挿入される方向の上流側において光記録媒体Ｄを挿入する時にガイドする傾斜２０２Ｂが設けられ、レンズ保持部２０に光記録媒体Ｄが対物レンズＬ１，Ｌ２に衝突することを防止するレンズプロテクタ部材４０が設けられ、レンズプロテクタ部材４０は、レンズ保持部２０に設けられた基台４０１と、この基台４０１から突出して設けられるとともに先端部が傾斜面とされた衝突緩衝材４０２とを有し、傾斜２０２Ｂは、その最先端位置ＣＴが衝突緩衝材４０２の最先端位置ＰＴより低く、かつ、基台４０１と衝突緩衝材４０２との境界線Ｋより衝突緩衝材４０２の先端側に位置するようにした。そのため、傾斜２０２Ｂの最先端位置ＣＴが基台４０１と衝突緩衝材４０２との境界線Ｋより衝突緩衝材４０２の先端側に位置するため、光記録媒体Ｄは、その挿入時に衝突緩衝材４０２の先端部側面に当接しても、その先端部が曲面とされており、かつ、サスペンションワイヤ３０の弾性力に抗してレンズ保持部２０が変位することによって、光記録媒体Ｄが衝突緩衝材４０２の曲面に沿って滑らかに移動することになり、光記録媒体Ｄが衝突緩衝材４０２に衝突してサスペンションワイヤ３０が変形することがなく、衝突緩衝材４０２が基台４０１から剥がれたりすることがなく、光記録媒体Ｄの円滑な挿入が行える。傾斜２０２Ｂの最先端位置ＣＴが衝突緩衝材４０２の最先端位置ＰＴより低いから、光記録媒体Ｄが外部からの要因や、その他の要因によって、対物レンズＬ１，Ｌ２に衝突する方向に動いても、傾斜２０２Ｂの先端に衝突する前に、衝突緩衝材４０２の先端部分に当たることになるので、光記録媒体Ｄ自体に傷がつくことがない。
【符号の説明】
【００３７】
１…レンズ駆動装置、２…カバー部材、２Ａ…摺動面、１０…アクチュエータベース（ベース部材）、２０…レンズ保持部、３０…サスペンションワイヤ（線状弾性部材）、４０…レンズプロテクタ部材、１００…筐体、１００Ａ…挿通口、２００Ａ…溝、２０２…突起部、２０２Ａ…立上片部、２０２Ｂ…傾斜、２４０…光ピックアップ装置、４０１…基台、４０２…衝突緩衝材、ＣＢ…最基端位置、ＣＴ…最先端位置、Ｄ…光記録媒体、Ｋ…境界線、Ｌ１，Ｌ２…対物レンズ、ＰＴ…最先端位置
【図１】
2013020679.tif 000003
【図２】
2013020679.tif 000004
【図３】
2013020679.tif 000005
【図４】
2013020679.tif 000006
【図５】
2013020679.tif 000007
【図６】
2013020679.tif 000008
【図７】
2013020679.tif 000009